【事件の表示】
　特願２０１６−　１７０７１「音声翻訳システム、音声翻訳方法、及び音声翻訳プログラム」拒絶査定不服審判事件〔平成２９年　８月１０日出願公開、特開２０１７−１３８６５０、請求項の数（７）〕について、次のとおり審決する。
【結　論】
　原査定を取り消す。
　本願の発明は、特許すべきものとする。
【理　由】
第１　手続の経緯
　本願は、平成２８年２月１日の出願であって、平成２８年９月２８日付けで拒絶理由通知がなされ、平成２８年１１月２４日に手続補正がなされ、平成２９年２月１０日付けで拒絶理由通知がなされ、平成２９年４月４日に手続補正がなされたが、平成２９年６月１５日付けで拒絶査定（原査定）がなされ、これに対し、平成２９年９月１４日に拒絶査定不服審判の請求がなされると同時に手続補正がなされ、当審において、平成３０年７月１９日付けで拒絶理由通知がなされ、平成３０年９月１０日付けで手続補正がなされたものである。
　
第２　原査定の概要
　原査定（平成２９年６月１５日付けで拒絶査定）の概要は次のとおりである。
　請求項１−７に係る発明は、その出願の日前の特許出願であって、その出願後に出願公告又は出願公開がされた下記１の特許出願の願書に最初に添付された明細書、特許請求の範囲又は図面に記載された発明と同一であり、しかも、この出願の発明者がその出願前の特許出願に係る上記の発明をした者と同一ではなく、またこの出願の時において、その出願人が上記特許出願の出願人と同一でもないので、特許法第２９条の２の規定により、特許を受けることができない。
　　　　　　　　　　　　　　＜引用文献等一覧＞
１.特願２０１５−１２５６７５号（特開２０１７−１０３１１号）
２.特開昭６３−１０６８６６号公報
３.特開平１−２３０１７７号公報
４.特開昭６２−２８６１７２号公報
５.特開平７−１０５２２０号公報
第３　本願発明
　本願請求項１−７に係る発明（以下、それぞれ「本願発明１」−「本願発明７」という。）は、平成３０年９月１０日付けの手続補正で補正された特許請求の範囲の請求項１−７に記載された事項により特定される発明であり、本願発明１は以下のとおりの発明である。
「【請求項１】
　ユーザの音声を入力する情報端末と、
　前記情報端末に入力された音声の内容を翻訳するサーバ装置と、
　前記情報端末との間の通話処理をする通訳者端末と、を備える音声翻訳システムであって、
　前記サーバ装置は、
　前記情報端末に入力された音声の内容を認識する音声認識部と、
　前記音声認識部で認識された内容を異なる言語の内容に翻訳する翻訳部と、
　翻訳精度に関するスコアを算出するスコア算出部と、を備え、
　前記情報端末は、
　前記サーバ装置の前記翻訳部で翻訳された内容を音声で出力する音声出力部と、
　前記入力された音声の内容の第１テキストを画面における第１領域に表示し、且つ、前記翻訳された内容の第２テキストを前記画面における前記第１領域とは異なる第２領域に表示する処理を制御する第１表示処理制御部であって、前記スコア算出部により算出された前記スコアが所定の閾値以下である場合に、前記第１テキスト及び前記第２テキストに加え、前記通訳者端末との間の通話処理を開始するための通話処理開始リクエストを前記通訳者端末に送信するための第１画像を、前記画面において選択的に表示する処理を制御する第１表示処理制御部と、
　前記第１画像が選択されたとき、前記通話処理開始リクエストを前記通訳者端末に送信する通話処理制御部と、を備える、
　音声翻訳システム。」
　なお、本願発明２−７の概要は以下のとおりである。
　本願発明２−５は、本願発明１を減縮した発明である。
　本願発明６は、本願発明１の情報端末の各部に対応する方法の発明である。
　本願発明７は、本願発明１の情報端末の各部に対応するプログラムの発明である。
第４　先願の当初明細書等、先願発明
　原査定の拒絶の理由に引用された、特願２０１５−１２５６７５号（特開２０１７−１０３１１号）の、出願当初の明細書、特許請求の範囲又は図面（以下、「先願の当初明細書等」という。）には、次の事項が記載されている（下線は、当審において付与した。）。
ア．「【００１８】
１．構成
　図１は、一実施形態に係る翻訳支援システム１の概要を示す図である。
翻訳支援システム１は、第１言語を話す第１話者Ｕ１と第２言語を話す第２話者Ｕ２との会話を支援するシステムである
イ．「【００１９】
　
翻訳支援システム１は、ユーザ端末１０、サーバ２０、およびオペレータ端末３０を有する。ユーザ端末１０は
第１話者Ｕ１と第２話者Ｕ２とのインターフェースとして機能する
オペレータ端末３０は翻訳オペレータＯ
により用いられる端末である
ウ．『【００３８】
　再び図６を参照する。
ステップＳ１０１において、ユーザ端末１０のＣＰＵ１００は、第１言語および第２言語、
を特定する情報を
サーバ２０に送信する。この情報により、サーバは、翻訳元の言語および翻訳先の言語を特定する
【００３９】
　ステップＳ１０２において、
ＣＰＵ１００は、マイクロフォン１０７を介して入力された音声をデータ化し、音声データを得る。
ＣＰＵ１００は、音声データを、
サーバ２０に送信する
【００４０】
　ステップＳ１０４において、
サーバ２０のＣＰＵ２００は、ユーザ端末１０から受信した音声データに対し、音声認識処理を行う
音声認識処理により、話者の話し言葉から変換された文字列のデータが得られる
音声認識処理により得られた文字列を「対象原文」という
【００４１】
　ステップＳ１０５において、
ＣＰＵ２００は、対象原文を翻訳する
翻訳により、対象原文を翻訳した文字列が得られる。以下、翻訳により得られた文字列を対象翻訳文という
【００４２】
　ステップＳ１０６において、
ＣＰＵ２００は、翻訳精度の判定を行う。
ＣＰＵ２００は、対象翻訳文を対象原文の言語に再翻訳する。再翻訳により得られた文字列を「対象再翻訳文」という
ＣＰＵ２００は、
対象再翻訳文と対象原文との近似度を数値として算出する。ＣＰＵ２００は、算出された近似度をしきい値と比較し、近似度がしきい値よりも低い（対象再翻訳文と対象原文とが近似していない）場合に、翻訳精度が不良範囲にあると判定する
翻訳精度が不良範囲にないと判断された場合
翻訳精度が不良範囲にあると判断された場合
【００４３】
　ステップＳ１０７において、
ＣＰＵ２００は、対象翻訳文を用いて音声合成処理を行う。音声合成処理により、対象翻訳文の音声データが得られる。ステップＳ１０８において、ＣＰＵ２００は、対象原文の文字データ、対象翻訳文の文字データ、および対象翻訳文の音声データを、対象原文の音声データの送信元であるユーザ端末１０に送信する
【００４４】
　ステップＳ１０９において、
ユーザ端末１０のＣＰＵ１００は、サーバ２０から受信したデータに基づき、翻訳文を出力する。翻訳文の出力は、対象翻訳文の文字列の表示および対象翻訳文の音声の出力を含む。この例では、さらに、対象原文の文字列の表示も行われる。
【００４５】
　図９は、翻訳文が表示されているＵＩ画面を例示する図である。このＵＩ画面においては、第１話者Ｕ１の話し言葉と第２話者Ｕ２の話し言葉とを区別可能なように、第１話者Ｕ１と第２話者Ｕ２とで、例えば、文字の書体、色、大きさ、および表示位置の少なくとも１つが異なっている。また、原文と翻訳文とにおいても、文字の書体、色、大きさ、および表示位置の少なくとも１つが異なっている。
【００４６】
　この例では、
客の「How much is this?」という話し言葉に対して、音声認識により得られた「How much is this?」という原文、および「これはいくらですか？」という翻訳文が表示されている。さらに、これに対する店員の「２０，０００円です」という話し言葉に対して「２０，０００円です」という原文、および「20,000 JPY」という翻訳文が表示されている
エ．「【００４７】
　再び図６を参照する。ス
テップＳ１１０において、ＣＰＵ２００は、話者と翻訳オペレータＯ（通訳）とを通話させるため、翻訳オペレータＯを選択する。
【００４８】
　ステップＳ１１１において、
ＣＰＵ２００は、選択された翻訳オペレータＯが使用しているオペレータ端末３０の識別子、およびオペレータへの接続指令を、ユーザ端末１０に送信する
【００４９】
　
サーバ２０からオペレータへの接続指令を受信すると、ユーザ端末１０のＣＰＵ１００は、接続指令と共に受信した識別子により特定されるオペレータ端末３０に対し、呼接続を要求する
ユーザ端末１０およびオペレータ端末３０は、周知の技術により呼接続を確立する（ステップＳ１１３）
呼接続されると、話者と翻訳オペレータＯとは、通常の電話と同じように話をすることができる
オ．『【００６５】
３．変形例
　本発明は上述の実施形態に限定されるものではなく、種々の変形実施が可能である。以下、変形例をいくつか説明する。以下の変形例のうち２つ以上のものが組み合わせて用いられてもよい。
【００６６】
３−１．変形例１
　
翻訳精度が不良範囲にあると判断された場合の処理は
自動的に（強制的に）オペレータ端末３０に呼接続を行うものに限定されない
翻訳精度が不良範囲にあると判断された場合、ＣＰＵ１００は、オペレータ端末３０への呼接続を話者に促す処理を行ってもよい
呼接続を促す処理は、
呼接続を促す画像の表示
を含む
【００６７】
　図１１は、呼接続を促す画像を例示する図である。この例では、
図９で説明したＵＩ画面上にポップアップウインドウ６０が表示されている。ポップアップウインドウ６０は、呼接続を促すメッセージ６１および呼接続を開始するためのボタン６２を含んでいる。
話者がボタン６２を押すと、ＣＰＵ１００は、オペレータ端末３０との呼接続を行う
カ．「【００７３】
３−７．変形例７
　
翻訳精度が不良範囲にあると判断された場合
サーバ２０による翻訳の結果をユーザ端末１０において出力したうえで、ユーザ端末１０とオペレータ端末３０との呼接続が行われてもよい
ＣＰＵ２００は、ステップＳ１０７およびＳ１０８に相当する処理を行ってから、ステップＳ１１０の処理を行ってもよい
キ．図９には、
「How much is this?」という対象原文と、その下に「これはいくらですか？」という対象翻訳文を表示し、この表示の下に、「２０，０００円です」という対象原文と、その下に「20,000 JPY」という対象翻訳文を表示し
さらにこの表示の下に、「It's too expensive」という対象原文と、その下に「高いですね。」という対象翻訳文を表示する
　したがって、先願の当初明細書等には、次の発明（以下、「先願発明」という。）が記載されている。
＜先願発明＞
「（Ａ）　第１言語を話す第１話者Ｕ１と第２言語を話す第２話者Ｕ２との会話を支援する翻訳支援システム１であって（【００１８】）、
（Ｂ）　第１話者Ｕ１と第２話者Ｕ２とのインターフェースとして機能するユーザ端末１０と、サーバ２０と、翻訳オペレータにより用いられるオペレータ端末３０とを有し（【００１９】）、
（Ｃ）　ユーザ端末１０は、第１言語および第２言語を特定する情報をサーバ２０に送信し、サーバ２０は、この情報により翻訳元の言語および翻訳先の言語を特定し（【００３８】）、
（Ｄ）　ユーザ端末１０は、マイクロフォン１０７を介して入力された音声をデータ化して音声データを得て、当該音声データをサーバ２０に送信し（【００３９】）、
（Ｅ）　サーバ２０は、受信した音声データに対し音声認識処理を行って、話者の話し言葉から変換された文字列すなわち対象原文を取得し（【００４０】）、
（Ｆ）　サーバ２０は、前記対象原文を翻訳して、対象原文を翻訳した文字列すなわち対象翻訳文を取得し（【００４１】）、
（Ｇ）　サーバ２０は、対象翻訳文を対象原文の言語に再翻訳し、再翻訳により得られた対象再翻訳文と対象原文との近似度を数値として算出し、当該近似度をしきい値と比較し、近似度がしきい値よりも低い場合に、翻訳精度が不良範囲にあると判定し（【００４２】）、
（Ｈ）　前記判定において、翻訳精度が不良範囲にないと判定された場合（【００４２】）、
　　（Ｉ）　サーバ２０は、音声合成処理を行って対象翻訳文の音声データを取得し、当該音声データと、対象原文の文字データ、対象翻訳文の文字データを、ユーザ端末１０に送信し（【００４３】）、
　　（Ｊ）　ユーザ端末１０は、サーバ２０から受信したデータに基づき、対象翻訳文の音声を出力するとともに、画面に対象原文とその対象翻訳文とを上下に並べて表示し（図９、【００４４】【００４６】）、
（Ｋ）　前記判定において、翻訳精度が不良範囲にあると判定された場合（【００４２】）、
　　（Ｌ）　サーバ２０は、翻訳オペレータを選択し（【００４７】）、選択された翻訳オペレータが使用しているオペレータ端末３０の識別子、およびオペレータへの接続指令を、ユーザ端末１０に送信し（【００４８】）、
　　（Ｍ）　ユーザ端末１０は、前記接続指令を受信すると、接続指令と共に受信した識別子により特定されるオペレータ端末３０に対し呼接続を要求し、呼接続されると、話者と翻訳オペレータとは、通常の電話と同じように話をすることができ（【００４９】）、
（Ｎ）　翻訳精度が不良範囲にあると判定された場合の処理は、自動的にオペレータ端末３０に呼接続を行うものに限定されず、ユーザ端末が、話者に当該呼接続を促す処理を行ってもよく（【００６６】）、その呼接続を促す処理は、該呼接続を促すメッセージ６１および呼接続を開始するためのボタン６２を含んだポップアップウインドウ６０を画面に表示し、話者がボタン６２を押すと、オペレータ端末３０との呼接続を行うものであり（【００６７】）、
（Ｏ）　また、翻訳精度が不良範囲にあると判定された場合、サーバ２０が、音声合成処理により対象翻訳文の音声データを取得し、当該音声データと、対象原文の文字データ、対象翻訳文の文字データを、ユーザ端末１０に送信する処理を行い、ユーザ端末１０において翻訳の結果を出力したうえで、ユーザ端末１０とオペレータ端末３０との呼接続を行ってもよい（【００７３】）、
（Ｐ）　翻訳支援システム１。」
第５　対比・判断
１．本願発明１について
（１）対比
　本願発明１と先願発明とを対比すると、次のことがいえる。
ア．先願発明のユーザ端末は、（Ｄ）「マイクロフォン１０７を介して入力された音声をデータ化して音声データを得て、当該音声データをサーバ２０に送信」することから、本願発明１の「ユーザの音声を入力する情報端末」に相当する。
イ．先願発明のサーバは、（Ｅ）「受信した音声データに対し音声認識処理を行って、話者の話し言葉から変換された文字列すなわち対象原文を取得し」、（Ｆ）「前記対象原文を翻訳して、対象原文を翻訳した文字列すなわち対象翻訳文を取得」することから、本願発明１の「前記情報端末に入力された音声の内容を翻訳するサーバ装置」に相当する。
ウ．先願発明は、（Ｍ）「ユーザ端末１０は、前記接続指令を受信すると、接続指令と共に受信した識別子により特定されるオペレータ端末３０に対し呼接続を要求し、呼接続されると、話者と翻訳オペレータとは、通常の電話と同じように話をすることができ」ることから、当該オペレータ端末は、本願発明１の「前記情報端末との間の通話処理をする通訳者端末」に相当する。
エ．先願発明のサーバは、（Ｅ）「受信した音声データに対し音声認識処理を行って、話者の話し言葉から変換された文字列すなわち対象原文を取得」することから、当該音声認識処理に係る手段は、本願発明１におけるサーバ装置の「前記情報端末に入力された音声の内容を認識する音声認識部」に相当する。
オ．先願発明のサーバは、（Ｆ）「前記対象原文を翻訳して、対象原文を翻訳した文字列すなわち対象翻訳文を取得」することから、当該翻訳のための手段は、本願発明１におけるサーバ装置の「前記音声認識部で認識された内容を異なる言語の内容に翻訳する翻訳部」に相当する。
カ．先願発明のサーバは、（Ｇ）「対象翻訳文を対象原文の言語に再翻訳し、再翻訳により得られた対象再翻訳文と対象原文との近似度を数値として算出し、当該近似度をしきい値と比較し、近似度がしきい値よりも低い場合に、翻訳精度が不良範囲にあると判定」することから、当該近似度を数値として算出する手段は、本願発明１におけるサーバ装置の「翻訳精度に関するスコアを算出するスコア算出部」に相当する。
キ．先願発明のユーザ端末は、（Ｊ）「サーバ２０から受信したデータに基づき、対象翻訳文の音声を出力する」ことから、当該対象翻訳文の音声を出力する手段は、本願発明１における情報端末の「前記サーバ装置の前記翻訳部で翻訳された内容を音声で出力する音声出力部」に相当する。
ク．先願発明の対象原文は、（Ｅ）「受信した音声データに対し音声認識処理を行って、話者の話し言葉から変換された文字列」であることから、本願発明１の「前記入力された音声の内容の第１テキスト」に相当する。
ケ．先願発明の対象翻訳文は、（Ｆ）「対象原文を翻訳した文字列」であることから、本願発明１の「前記翻訳された内容の第２テキスト」に相当する。
コ．先願発明のユーザ端末は、（Ｊ）「画面に対象原文とその対象翻訳文とを上下に並べて表示」するが、当該表示処理に係る制御と、本願発明１の「前記入力された音声の内容の第１テキストを画面における第１領域に表示し、且つ、前記翻訳された内容の第２テキストを前記画面における前記第１領域とは異なる第２領域に表示する処理を制御する」は、「前記入力された音声の内容の第１テキストを画面に表示し、且つ、前記翻訳された内容の第２テキストを前記画面に表示する処理を制御する」の点で共通する。
サ．先願発明は、（Ｇ）「サーバ２０は、対象翻訳文を対象原文の言語に再翻訳し、再翻訳により得られた対象再翻訳文と対象原文との近似度を数値として算出し、当該近似度をしきい値と比較し、近似度がしきい値よりも低い場合に、翻訳精度が不良範囲にあると判定」する。ここで、「近似度がしきい値よりも低い場合」すなわち「翻訳精度が不良範囲にあると判定」する場合は、本願発明１の「前記スコア算出部により算出された前記スコアが所定の閾値以下である場合」に相当する。
シ．先願発明は、（Ｏ）「翻訳精度が不良範囲にあると判定された場合、サーバ２０が、音声合成処理により対象翻訳文の音声データを取得し、当該音声データと、対象原文の文字データ、対象翻訳文の文字データを、ユーザ端末１０に送信する処理を行い、ユーザ端末１０において翻訳の結果を出力」する。ここで、当該判定の場合に、ユーザ端末が対象原文と対象翻訳文とを表示することは、本願発明１の「前記スコア算出部により算出された前記スコアが所定の閾値以下である場合」に、「前記第１テキスト及び前記第２テキスト」を表示する処理を制御することに相当する。
ス．先願発明は、（Ｎ）「翻訳精度が不良範囲にあると判定された場合の処理は、自動的にオペレータ端末３０に呼接続を行うものに限定されず、ユーザ端末が、話者に当該呼接続を促す処理を行ってもよく、その呼接続を促す処理は、該呼接続を促すメッセージ６１および呼接続を開始するためのボタン６２を含んだポップアップウインドウ６０を画面に表示し、話者がボタン６２を押すと、オペレータ端末３０との呼接続を行う」ものである。ここで、オペレータ端末への呼接続のためのボタン６２を有したポップアップウインドウ６０を画面に表示することは、本願発明１の「前記通訳者端末との間の通話処理を開始するための通話処理開始リクエストを前記通訳者端末に送信するための第１画像を、前記画面において選択的に表示する処理を制御する」ことに相当する。
セ．前記ク．〜ス．を総合すると、先願発明のユーザ端末において、画面に対象原文とその対象翻訳文とを上下に並べて表示し、翻訳精度が不良範囲にあると判定された場合に、当該対象原文とその対象翻訳文を表示するとともに、ポップアップウインドウを画面に表示する手段と、本願発明１の「前記入力された音声の内容の第１テキストを画面における第１領域に表示し、且つ、前記翻訳された内容の第２テキストを前記画面における前記第１領域とは異なる第２領域に表示する処理を制御する第１表示処理制御部であって、前記スコア算出部により算出された前記スコアが所定の閾値以下である場合に、前記第１テキスト及び前記第２テキストに加え、前記通訳者端末との間の通話処理を開始するための通話処理開始リクエストを前記通訳者端末に送信するための第１画像を、前記画面において選択的に表示する処理を制御する第１表示処理制御部」は、「前記入力された音声の内容の第１テキストを画面に表示し、且つ、前記翻訳された内容の第２テキストを前記画面に表示する処理を制御する第１表示処理制御部であって、前記スコア算出部により算出された前記スコアが所定の閾値以下である場合に、前記第１テキスト及び前記第２テキストに加え、前記通訳者端末との間の通話処理を開始するための通話処理開始リクエストを前記通訳者端末に送信するための第１画像を、前記画面において選択的に表示する処理を制御する第１表示処理制御部」の点で共通する。
ソ．先願発明のユーザ端末は、（Ｎ）「話者がボタン６２を押すと、オペレータ端末３０との呼接続を行」い、また（Ｍ）「呼接続されると、話者と翻訳オペレータとは、通常の電話と同じように話をすることができ」るものである。
　したがって、先願発明の（Ｎ）「話者がボタン６２を押すと、オペレータ端末３０との呼接続を行う」に係る手段は、本願発明１の「前記第１画像が選択されたとき、前記通話処理開始リクエストを前記通訳者端末に送信する通話処理制御部」に相当する。
タ．先願発明の「翻訳支援システム」は、音声を翻訳するシステムであるから、本願発明１の「音声翻訳システム」に相当する。
　したがって、本願発明１と先願発明との、一致点、相違点は次のとおりである。
＜一致点＞
「ユーザの音声を入力する情報端末と、
　前記情報端末に入力された音声の内容を翻訳するサーバ装置と、
　前記情報端末との間の通話処理をする通訳者端末と、を備える音声翻訳システムであって、
　前記サーバ装置は、
　前記情報端末に入力された音声の内容を認識する音声認識部と、
　前記音声認識部で認識された内容を異なる言語の内容に翻訳する翻訳部と、
　翻訳精度に関するスコアを算出するスコア算出部と、を備え、
　前記情報端末は、
　前記サーバ装置の前記翻訳部で翻訳された内容を音声で出力する音声出力部と、
　前記入力された音声の内容の第１テキストを画面に表示し、且つ、前記翻訳された内容の第２テキストを前記画面に表示する処理を制御する第１表示処理制御部であって、前記スコア算出部により算出された前記スコアが所定の閾値以下である場合に、前記第１テキスト及び前記第２テキストに加え、前記通訳者端末との間の通話処理を開始するための通話処理開始リクエストを前記通訳者端末に送信するための第１画像を、前記画面において選択的に表示する処理を制御する第１表示処理制御部と、
　前記第１画像が選択されたとき、前記通話処理開始リクエストを前記通訳者端末に送信する通話処理制御部と、を備える、
　音声翻訳システム。」
＜相違点＞
　本願発明１は、第１テキストを画面における第１領域に表示し、第２テキストを画面における第１領域とは異なる第２領域に表示するのに対し、先願発明は、対象原文（第１テキスト）とその対象翻訳文（第２テキスト）とを上下に並べて表示するものであり、第１領域と第２領域とを有していない点。
（２）判断
　上記相違点のとおり、先願発明は、第１テキストと第２テキストの画面表示について、本願発明１と異なる表示処理制御を行うものであり、本願発明１の表示処理制御については開示も示唆もしていない。
　また、本願発明１は、相違点に係る表示処理制御を採用することにより、「区分けして表示されるので、両者を明別して更に視認し易くなる利点がある」（本願明細書（【００６９】）という、新たな効果を奏するものであるから、当該相違点は、課題解決のための具体化手段における微差であるともいえない。
　したがって、本願発明１は、先願の当初明細書等に記載された発明と同一であるとはいえない。
　
２．本願発明２−５について
　本願発明２−５も、本願発明１の「前記入力された音声の内容の第１テキストを画面における第１領域に表示し、且つ、前記翻訳された内容の第２テキストを前記画面における前記第１領域とは異なる第２領域に表示する処理を制御する第１表示処理制御部」と同一の構成を備えるものであるから、本願発明１と同じ理由により、先願の当初明細書等に記載された発明と同一であるとはいえない。
３．本願発明６について
　本願発明６は、本願発明１の情報端末の各部に対応する方法の発明であり、本願発明１の「前記入力された音声の内容の第１テキストを画面における第１領域に表示し、且つ、前記翻訳された内容の第２テキストを前記画面における前記第１領域とは異なる第２領域に表示する処理を制御する第１表示処理制御部」に対応するステップを備えるものであるから、本願発明１と同様の理由により、先願の当初明細書等に記載された発明と同一であるとはいえない。
４．本願発明７について
　本願発明７は、本願発明１の情報端末の各部に対応するプログラムの発明であり、本願発明１の「前記入力された音声の内容の第１テキストを画面における第１領域に表示し、且つ、前記翻訳された内容の第２テキストを前記画面における前記第１領域とは異なる第２領域に表示する処理を制御する第１表示処理制御部」に対応する構成を備えるものであるから、本願発明１と同様の理由により、先願の当初明細書等に記載された発明と同一であるとはいえない。
　
第６　原査定の概要及び原査定についての判断
　原査定は、請求項１−７について、上記先願の当初明細書等に記載された発明と同一であるから、特許法第２９条の２の規定により特許を受けることができないというものである。しかしながら、平成３０年９月１０日付け手続補正により補正された請求項１−７は、それぞれ「前記入力された音声の内容の第１テキストを画面における第１領域に表示し、且つ、前記翻訳された内容の第２テキストを前記画面における前記第１領域とは異なる第２領域に表示する処理を制御する第１表示処理制御部」という事項、または、当該事項に対応する構成を有するものとなっており、上記のとおり、本願発明１−７は、上記先願の当初明細書等に記載された発明と同一であるとはいえない。
　なお、原査定では、先願の当初明細書等のほか、周知技術を示す文献として上記引用文献２−５を引用しているが、当該引用文献２−５の内容を検討するまでもなく、上記のとおり、本願発明１は、先願の当初明細書等に記載された発明と同一であるとはいえない。
　したがって、原査定を維持することはできない。
第７　当審拒絶理由について
　当審では、請求項１、６、７の「第１画像を、
前記第１テキスト及び前記第２テキストとは異なる位置
第８　むすび
　以上のとおり、本願発明１−７は、先願の当初明細書等に記載された発明と同一であるとはいえない。
　したがって、原査定の理由によっては、本願を拒絶することはできない。
　また、他に本願を拒絶すべき理由を発見しない。
　よって、結論のとおり審決する。